(57)【特許請求の範囲】
【請求項１】
収納容器１の斜め上方側に向けて、収納された錠剤ブリスターパックTをスライドさせて取り出す方式の収納容器スライド面２の一端部に、錠剤ブリスターパックを更に斜め上方側に向けて案内する案内面６を備え、前記案内面６の先端部と前記収納容器１の前板４の間に端数の錠剤ブリスターパックT’を収納する端数収納部３を設けたことを特徴とする錠剤ブリスターパック収納容器。
【請求項２】
前記収納容器１を棚体８に配置すると共に、収納容器１を前方に引き出した時に収納容器１が棚体８から外れないようにするためのストッパー５を設け、各棚体８に前記ストッパー部５を支持して収納容器１が棚体８から外れないように構成した請求項１に記載の錠剤ブリスターパック収納容器。
【発明の詳細な説明】
【０００１】
【産業の利用分野】
本発明は、錠剤ブリスターパックを収納する調剤台に使用される収納容器に関する。
【０００２】
【従来の技術】
従来、錠剤ブリスターパックを収納する調剤台１０に使用される収納容器１は図１や、図３、図９に示す収納容器に保管し、患者の処方箋に従ってこれらの収納容器から処方された数だけを取出し患者に手渡している。
調剤師は、患者の処方箋が届く度にシート状にブリスターパックされた錠剤が１シート２１錠、１０錠、２０錠等、種類に応じてまちまちなため、調剤師が処方箋を見て、その患者に適した数に１シートから切取って患者に手渡し、余った端数のブリスターパック錠剤は、図１に示す端数収納部３に保管して、次の処方があった時に端数を使用して患者に提供する。
【０００３】
これらの収納容器は、病院内の薬局で使用されることが多く、そのため３００処方以上処理する薬局では、この収納容器にブリスターパック錠剤がある程度の量保管する事が必要であった。
【０００４】
【発明が解決しようとする課題】
しかし近年、医薬分業が進む中で調剤薬局で使用するには前記病院仕様の調剤台では大きすぎるため、扱う薬品数を減らさず、設置スペースを取らない、調剤台の要求が高まっているため、従来、図１のような大きい収納容器を図２に示す高さの収納容器に設計し、更に収容量を確保するために底板の傾斜を平らになるように設計して、この容器に合わせて調剤台の棚設計を行った結果、６０％の収納スペースに縮小できる。
【０００５】
この反面、従来の収納容器では容器底板のスライド面を取出し口に向かって配置していたが、高さ方向を縮小して収容量を増加させると前記底板スライド面が取出し方向から外れて、前面の壁に向かってしまい、ブリスターパックの先端が引っかかって取出し難くなる問題と、収納容器各棚に配置された収納容器の高さ方向が短縮したため、収納容器の奥に収納されたブリスターパックが取り出し難い問題が発生したため、引出してから取出す方式に変更したが、調剤作業に当たり、収納容器が棚から抜けてしまい、収納されたブリスターパックを散乱させる事態が発生する。
【０００６】
本発明は、高密度に収納配置可能な調剤台において、収納容器から取り出し易く、奥に収納したブリスターパック錠剤を散乱させることのない錠剤ブリスターパック収納容器の提供にある。
【０００７】
本発明は、以上の課題を解決するため、収納容器１の斜め上方側に向けて、収納された錠剤ブリスターパックTをスライドさせて取り出す方式の収納容器スライド面２の一端部に、錠剤ブリスターパックを更に斜め上方側に向けて案内する案内面６を備え、前記案内面６の先端部と前記収納容器１の前板４の間に端数の錠剤ブリスターパックT’を収納する端数収納部３を設けた。
【０００８】
また、収納容器１を棚体８に配置すると共に、収納容器１を前方に引き出した時に収納容器１が棚体８から外れないようにするためのストッパー５を設け、各棚体８に前記ストッパー部５を支持して収納容器１が棚体８から外れないように構成した。
【０００９】
更に、収納容器１の斜め上方側に向けて収納された錠剤ブリスターパックTをスライドさせ取り出す方式の収納容器スライド面２の前方、下方端部側に端数の錠剤ブリスターパックＴを収納する端数収納部３を設け、収納容器１を棚体８に配置すると共に、前記棚体８の前方に備えた支持部９により収納容器１の引出しを一定の距離で阻害するストッパー部５を設けた。
【００１０】
【実施の形態】
図２、図５、図６、図８は本発明の実施例である。
図１、図３、図７、図９は従来例を示し、図４は、発明に至るまでの過程において、発生した問題を本発明と対比可能に説明するために添付した参考図である。
本発明の背景として、高密度に収納が可能で、取出し易い調剤台の設計要件が、ある。
このような設計的背景を解決する手段として、図３に示す従来の収納容器１を図４に示すように、高さ方向に短縮設計する事で棚段を増加させることが１つの手段として考えられる。
このように、収納容器１を短縮する設計は当然ながら収納容器１のブリスターパック収納量も縮小されることになる。
【００１１】
図３の従来例に示す設計的背景として、収納量と取り出し易さ、また端数のブリスターパックを分別して収納できる事が課題であり、これらの課題を解決するため、収納容器１を引き出さずに取り出せるように、取出し口７を広く且つ集積するブリスターパックが取出し口７の方向に倒壊してこぼれないように、且つ端数収納部３のブリスターパックもこぼれることのないように前板４を設け、端数のブリスターパックを入れる端数収納部３を備えて、スライド面２から前板４により上方に向けてブリスターパックの先端部が押し上がって取出される。
前板４の外面には収納される薬剤名が表示できるホルダーが備えられている。
このため、収納容器１を棚体から引出す必要もなく取り出すことができる。
【００１２】
図７は収納容器１を棚体８から引出すことなく取出口７から取り出す様子を示している。
この場合、スライド面２に沿ってブリスターパックＴが移動し、前板４の角度で上方に取り出されているのがわかる。
【００１３】
本発明の構成は、高集積する条件が設計課題であり、その条件から発生する問題点の主要部分に、高集積条件が原因で取り出し難くなる問題がある。
そこで、図６に示すようにスライド面２の先端部に案内６を設ける事でスライド面２をできるだけ水平に且つ低い位置に設けて、収納容量を増やし、この収納容量の増加対策で、前板４に取り出し時にブリスターパックＴの先端が引っかかって取り出しにくくなる問題を案内６を前記前板４の略上方に向けたアール形状の突起を設けている。取出口７から手Ｈにより、ブリスターパックＴの下部先端を引出しスライド面２をスライドさせると、ブリスターパックＴの先端部が案内６により上方に持ち上げられ取出口７からブリスターパックＴが取り出される。
【００１４】
図８はこの様子を詳細に示している。
取出口７から手ＨによりブリスターパックＴをスライドさせる過程で、ブリスターパックＴの両端部が案内６の先端とスライド面２で支持されるため、手Ｈの押し圧加重でブリスターパックＴが湾曲する。
このため、案内６の先端部の方向は、前板４の面に向かっていてもブリスターパックＴの先端部は直接取出口７に向かうため、図７のよう前板４にブリスターパックＴの先端が当らないため取出しがスムースに行うことができる。
また、端数のブリスターパックＴ’が端数収納部３に収納されていても、取出し中のブリスターパックＴには接触することなく前板４の上方に導き出され、容易に取り出すことができる。
【００１５】
本発明の実施例では、スライド面２が前板４の上方に向かって上り勾配になっているが、本発明のように案内６を設けるなら水平にしてもよく、この場合、端数収納部３は案内６の先端部と前板４の間に形成される。
端数収納部３の深さ大きさを十分に確保するには案内６の大きさを調整することで実施できる。
【００１６】
本発明の実施に当たっては、もう一つの大きなテーマが存在する。
収納容器１の高さ方向を短縮すると、取出口７から手Ｈが入らなくなるか、少なくとも手を入れにくくなるため、指先で前板４やスライド面２、案内６の引っかかりを利用するなりして収納容器１を棚体８から引き出した後、図６で説明した手順でブリスターパックＴを取出す。
【００１７】
このように収納容器１を引出して取出すと、スライド面２とブリスターパックＴの接触抵抗により収納容器１が棚体８から外れて落下するおそれが高く、本発明の趣旨である取出しやすい要件から外れた考えである。
そこで、図６に示すように収納容器１にストッパー５を設け棚体８に備えた支持部９により収納容器１の引出しを一定の距離で阻害している。
このように構成する事で収納容器１が落下する事なく容易に取り出すことができる。
【００１８】
図５は第二実施例を示している。
収納容器１を引出して取出すことを前提に考え、収納容器１を引出して取出す時、前記スライド面２とブリスターパックＴの接触抵抗により収納容器１が棚体８から外れて落下しないように収納容器１にストッパー５を設け棚体８に備えた支持部９により収納容器１の引出しを一定の距離で阻害している。
個々で示したストッパー５は筒状の支持体１１内にピン１２を挿入したもので、このピン下部先端が収納容器１の引出し方向に沿って棚体８にピン１２と係合する溝１３を備えており、収納容器１の引出しを一定の距離に保つため、ピン１２と係合する溝１３の端部をもって支持部９としている。
【００１９】
収納容器１を棚体８に収納する場合、ピン１２が収納容器１の底面にそった位置になり、収納されるとピン１２の自重で溝１３に係合する。このピン１２は鉄等の磁性体で形成しているため、取り外しの際は収納容器１の内部より、マグネットＭでピン１２を上方に持ち上げて外す事ができる。
【００２０】
このような第二実施例には、第一実施のような案内６を備えていないため、スライド面２をスライドさせて、ブリスターパックＴを取出すと前板４に当たってしりだし難くなるため、本発明を実施するには第一実施の方が好ましい。
【００２１】
本発明の実施例では収納容器１に板状のストッパーを設けているが、収納容器の底に設けた溝に勘合する棚体に設けた突起により引き出しの案内を行い引き出しの距離が一定距離引きでされると収納容器の溝が終端部に達して棚体に設けた突起により同様のストッパー効果が実施できその他応用例は数多く考えられるが、そのいずれの手段を採用してもかまわない。
【００２２】
また、案内６はアール形状に表現したが、スライド面からスライドに引っかかりを生じることがないなら角度の違う平面で構成してもよく、スライド中のブリスターパックＴが案内６とスライド面との２点支持により、ブリスターパックＴが湾曲し、スライドを阻害しないようにするならいずれの手段も本発明の構成に当てはめる事ができる。
【００２３】
【効果】
以上、本発明の棚体は、調剤薬局向けに設置スペースが６０％に設計できて、且、従来機能を越えた取出し易さが実現可能である。
また、コストも安く、収納容器にブリスターパックの補給を行う場合でも、この収納容器が棚体から外れて、残り少ないブリスターパックを散乱させたり、耳障りな落下音を立てる事のない錠剤ブリスターパック収納容器が提供できる。
【図面の簡単な説明】
【図１】  従来の錠剤ブリスターパック収納容器を示す斜視図
【図２】  本発明の錠剤ブリスターパック収納容器を示す斜視図
【図３】  従来の錠剤ブリスターパック収納容器を示す側面断面図
【図４】  高集積化に伴う参考錠剤ブリスターパック収納容器を示す側面断面図
【図５】  高集積化に伴う参考錠剤ブリスターパック収納容器を示す側面断面図
【図６】  本発明の錠剤ブリスターパック収納容器を示す側面断面図
【図７】  従来の錠剤ブリスターパック取り出しを示す詳細断面図
【図８】  本発明の錠剤ブリスターパック取り出しを示す詳細断面図
【図９】  従来の錠剤ブリスターパック収納容器を配置した調剤台の斜視図
【符号の説明】
１．収納容器
２．スライド面
３．端数収納部
４．前板
５．ストッパー
６．案内
８．棚体
９．支持部
Ｈ．手
Ｔ．錠剤ブリスターパック
【図１】
0003892946.tif 000002
【図２】
0003892946.tif 000003
【図３】
0003892946.tif 000004
【図４】
0003892946.tif 000005
【図５】
0003892946.tif 000006
【図６】
0003892946.tif 000007
【図７】
0003892946.tif 000008
【図８】
0003892946.tif 000009
【図９】
0003892946.tif 000010